(57)【要約】【課題】外部オーディオ装置とＡＶ装置とを接続して使用する場合に、各装置の電源ＯＮ・ＯＦＦが独立しており、使い勝手が悪かった。【解決手段】外部オーディオ装置（０２１０）からの信号に応じて電源を制御するＡＶ装置（０２００）を提供する。ＡＶ装置（０２００）は、外部オーディオ装置（０２１０）からの信号を入力するための入力端子（０２０１）と、入力端子に入力される信号を検知する信号検知部（０２０２）と、信号検知部での検知結果に応じて電源を制御する電源制御部（０２０３）と、電源制御部にて制御されるＡＶ装置電源部（０２０４）とを有する。かかる構成により、外部オーディオ装置からの信号によりＡＶ装置の電源が連動し、ＡＶ装置電源のＯＮ・ＯＦＦがされるため、機器ごとに電源をＯＮ・ＯＦＦするといった煩わしさを解消することができる。このため、ユーザの利便性が向上する。【選択図】図２
2007110430.tif 000002
【特許請求の範囲】
【請求項１】
外部オーディオ装置からの信号を入力するための入力端子と、
前記入力端子に入力される信号を検知する信号検知部と、
前記信号検知部での検知結果に応じて電源を制御する電源制御部と、
前記電源制御部にて制御されるＡＶ装置電源部と、
を有するＡＶ装置。
【請求項２】
信号検知部は、
外部オーディオ装置のＯＮ・ＯＦＦ信号を検知する外部オーディオ装置電源状態信号検知手段を有し、
電源制御部は、
検知結果とＡＶ装置電源部のＯＮ・ＯＦＦ状態とを同期させる電源同期手段を有する
請求項１に記載のＡＶ装置。
【請求項３】
信号検知部は、
外部オーディオ装置から到来するコンテンツ信号の有無を検知するコンテンツ信号有無検知手段を有し、
電源制御部は、
検知されたコンテンツ信号の有無に応じてＡＶ装置電源部のＯＮ・ＯＦＦを制御するコンテンツ信号同期手段を有する
請求項１又は２に記載のＡＶ装置。
【請求項４】
前記入力端子へのプラグの挿入有無を検知するプラグ有無検知部を有し、
電源制御部は、検知されたプラグの挿入有無に応じてＡＶ装置電源部のＯＮ・ＯＦＦを制御するプラグ有無同期手段を有する
請求項１から３のいずれか一に記載のＡＶ装置。
【請求項５】
外部オーディオ装置を制御するための外部オーディオ装置制御命令を保持する外部オーディオ装置制御命令保持部と、
保持されている外部オーディオ装置制御命令を出力するための外部オーディオ装置制御命令出力部と、
を有する請求項１から４のいずれか一に記載のＡＶ装置。
【請求項６】
外部オーディオ装置制御命令出力部は、検知部での検知結果に応じて外部オーディオ装置制御命令を選択して出力する検知結果依存選択出力手段を有する請求項５に記載のＡＶ装置。
【請求項７】
外部オーディオ装置制御命令出力部は、ＡＶ装置電源部のＯＮ・ＯＦＦ状態に応じて外部オーディオ装置制御命令を選択して出力する電源依存選択出力手段を有する請求項５に記載のＡＶ装置。
【請求項８】
外部オーディオ装置に電源を供給するための電源供給部を有する請求項１から７のいずれか一に記載のＡＶ装置。
【請求項９】
電源供給部は、検知部での検知結果に応じて電源を供給する請求項８に記載のＡＶ装置。
【請求項１０】
電源供給部は、ＡＶ装置電源部のＯＮ・ＯＦＦ状態に応じて電源を供給する請求項８に記載のＡＶ装置。
【請求項１１】
入力端子に入力される信号を検知する信号検知ステップと、
前記信号検知ステップでの検知結果に応じてＡＶ装置の電源を制御する電源制御ステップと、
を有するＡＶ装置の動作方法。
【請求項１２】
外部オーディオ装置電源のＯＮ・ＯＦＦ信号を検知する外部オーディオ装置電源状態信号検知ステップと、
前記外部オーディオ装置電源状態信号検知ステップでの検知結果とＡＶ装置電源のＯＮ・ＯＦＦ状態とを同期させる電源同期ステップと、
を有するＡＶ装置の動作方法。
【請求項１３】
外部オーディオ装置から到来するコンテンツ信号の有無を検知するコンテンツ信号有無検知ステップと、
前記コンテンツ信号有無検知ステップにて検知されたコンテンツ信号の有無に応じてＡＶ装置電源のＯＮ・ＯＦＦを制御するコンテンツ信号同期ステップと、
を有するＡＶ装置の動作方法。
【請求項１４】
入力端子へのプラグの挿入有無を検知するプラグ有無検知ステップと、
前記プラグ有無検知ステップにて検知されたプラグの挿入有無に応じてＡＶ装置電源のＯＮ・ＯＦＦを制御するプラグ有無同期ステップと、
を有するＡＶ装置の動作方法。
【請求項１５】
前記検知ステップでの検知結果に応じて外部オーディオ装置を制御するための外部オーディオ装置制御命令を選択して出力する検知結果依存選択出力ステップをさらに有する請求項１１から１４のいずれか一に記載のＡＶ装置の動作方法。
【請求項１６】
ＡＶ装置電源のＯＮ・ＯＦＦ状態に応じて外部オーディオ装置を制御するための外部オーディオ装置制御命令を選択して出力する電源依存選択出力ステップをさらに有する請求項１１から１５のいずれか一に記載のＡＶ装置の動作方法。
【発明の詳細な説明】
【技術分野】
【０００１】
本発明は、ＡＶ装置電源と外部オーディオ装置電源を相互に制御することのできるＡＶ装置に関する。
【背景技術】
【０００２】
現在、携帯用のオーディオ機器（モバイルオーディオ装置）としてメモリカードや不揮発性メモリ、小型ハードディスクなどを内蔵し、音楽等の音声を記録・再生することができるオーディオ装置が一般的となってきている。多くの場合、モバイルオーディオ装置には音声信号を圧縮して記録するため、多くの音楽を記録することができる。そのため、屋内でもモバイルオーディオ装置に記録された音楽を視聴できるように、既存のＡＶ装置と連携させて使用できるようになっている。しかし、モバイルオーディオ装置の使用環境の多くがこれまで屋外での使用を想定していたために、屋内にある既存のＡＶ装置と連携して操作すると使い勝手が悪くなっていた。
【０００３】
従来の電源制御システムとしては、プリアンプ、ＣＤプレーヤー、チューナー、パワーアンプ、スピーカーなどを連結させたオーディオシステムコンポなどがある。これらのシステムにおいて、プリアンプに主電源を有している場合には、プリアンプの電源をＯＮとすることによってシステム全体、すなわちＣＤプレーヤー、チューナー、パワーアンプ、スピーカーのすべての電源をＯＮとすることが可能であった。しかし、これらのシステムはもともと一体として使用されることを前提とした装置間において各装置の電源を連動させたものであり、外部接続機器との連動はできなかった。
【０００４】
そこで、例えば、特許文献１は、本体側から外部機器の電源のＯＮ・ＯＦＦ制御ができる映像音声信号処理装置を開示している。この発明によると、本体の電源をＯＮとすることにより、以前使用していた外部機器が接続されている外部接続端子に外部機器の電源をＯＮとするように信号を送信し、その信号に基づいて外部機器の電源をＯＮとすることができる。
【特許文献１】特開２００４−２００８６２号公報
【発明の開示】
【発明が解決しようとする課題】
【０００５】
しかし、本体に外部機器が接続されている状態で、本体の電源をＯＮとしても、必ず外部機器を使用するとは限らず、使用しない場合には無駄に電力を消費してしまうという問題がある。また、本体の電源をＯＦＦとすると、外部機器の電源もＯＦＦとなってしまうという問題がある。例えば、ＡＶ装置に接続されている外部機器が単独でも使用できるようなオーディオ機器（モバイルオーディオ装置等）の場合には、オーディオ機器を単独で使用したい時にも、本体の電源をＯＦＦとすることにより、オーディオ機器の電源もＯＦＦとなってしまうことになる。
【課題を解決するための手段】
【０００６】
上記課題を解決するために、本発明は、外部オーディオ装置からの信号に応じて電源を制御するＡＶ装置を提供する。第一発明は、外部オーディオ装置からの信号を入力するための入力端子と、入力端子に入力される信号を検知する信号検知部と、信号検知部での検知結果に応じて電源を制御する電源制御部と、電源制御部にて制御されるＡＶ装置電源部と、を有するＡＶ装置を提供する。
【０００７】
第二発明は、信号検知部が外部オーディオ装置のＯＮ・ＯＦＦ信号を検知する外部オーディオ装置電源状態信号検知手段を有し、電源制御部が検知結果とＡＶ装置電源部のＯＮ・ＯＦＦ状態とを同期させる電源同期手段を有するＡＶ装置を提供する。
【０００８】
第三発明は、信号検知部が外部オーディオ装置から到来するコンテンツ信号の有無を検知するコンテンツ信号有無検知手段を有し、電源制御部が検知されたコンテンツ信号の有無に応じてＡＶ装置電源部のＯＮ・ＯＦＦを制御するコンテンツ信号同期手段を有するＡＶ装置を提供する。
【０００９】
第四発明は、入力端子へのプラグの挿入有無を検知するプラグ有無検知部をさらに有し、電源制御部が検知されたプラグの挿入有無に応じてＡＶ装置電源部のＯＮ・ＯＦＦを制御するプラグ有無同期手段を有するＡＶ装置を提供する。
【００１０】
第五発明は、外部オーディオ装置を制御するための外部オーディオ装置制御命令を保持する外部オーディオ装置制御命令保持部と、保持されている外部オーディオ装置制御命令を出力するための外部オーディオ装置制御命令出力部とをさらに有するＡＶ装置を提供する。好ましい態様として、外部オーディオ装置制御命令出力部が検知部での検知結果に応じて外部オーディオ装置制御命令を選択して出力する検知結果依存選択出力手段を有するＡＶ装置を提供する。また、さらに好ましい態様として、外部オーディオ装置制御命令出力部がＡＶ装置電源部のＯＮ・ＯＦＦ状態に応じて外部オーディオ装置制御命令を選択して出力する電源依存選択出力手段を有するＡＶ装置を提供する。
【００１１】
第六発明は、外部オーディオ装置に電源を供給するための電源供給部をさらに有するＡＶ装置を提供する。好ましい態様として、電源供給部が検知部での検知結果に応じて電源を供給するＡＶ装置を提供する。また、さらに好ましい態様として、電源供給部がＡＶ装置電源部のＯＮ・ＯＦＦ状態に応じて電源を供給するＡＶ装置を提供する。
【発明の効果】
【００１２】
以上のような構成をとる本発明によって、外部オーディオ装置をＡＶ装置に接続しコンテンツを視聴する場合に、外部オーディオ装置からの信号によりＡＶ装置の電源が連動し、ＡＶ装置電源のＯＮ・ＯＦＦ制御がなされるため、機器ごとに電源をＯＮ・ＯＦＦするといった煩わしさを解消することができる。さらに、入力される信号の検知結果又はＡＶ装置電源のＯＮ・ＯＦＦ状態に応じて外部オーディオ装置を制御するための命令を出力することができるため、外部オーディオ装置をＡＶ装置に接続しコンテンツを視聴する場合の操作回数を減らすことができる。このため、ユーザの利便性が向上する。
【発明を実施するための最良の形態】
【００１３】
以下に図面を用いて本発明の実施の形態を説明する。なお、図面においては、ＡＶ装置をテレビジョン受像機、外部オーディオ装置をモバイルオーディオ装置として記載しているが、これらに限定されるものではない。また、本発明は、これらの実施の形態に限定されるものではなく、その要旨を逸脱しない範囲において、種々なる態様で実施しうる。
【００１４】
なお、実施形態１は、主に請求項１、１１について説明する。実施形態２は、主に請求項２、１２について説明する。実施形態３は、主に請求項３、１３について説明する。実施形態４は、主に請求項４、１４について説明する。実施形態５は、主に請求項５から７、１５、１６について説明する。実施形態６は、主に請求項８から１０について説明する。
≪実施形態１≫
<実施形態１の概要>
【００１５】
図１は本実施形態の概念の一例を示す図である。図１においては、外部オーディオ装置（モバイルオーディオ装置、０１０２）をＡＶ装置（テレビジョン受像機、０１０１）に接続している。ＡＶ装置の画面には野球中継が表示されており、野球中継の音声（０１０３ａ）が流れている。本実施形態のＡＶ装置は、外部オーディオ装置に記憶されている音楽のコンテンツの再生を行った場合に、ＡＶ装置のテレビ放送の音声出力電源をＯＦＦとし、外部オーディオ装置からの音声出力電源をＯＮとすることによって、ＡＶ装置から出力される音声は外部オーディオ装置からの音楽（０１０３ｂ）となる。すなわち、本実施形態のＡＶ装置は、外部オーディオ装置から入力端子に入力される信号を検知し、ＡＶ装置の電源の制御を行うことを特徴とする。
<実施形態１の構成>
【００１６】
図２に本実施形態での機能ブロックの一例を示した。本実施形態の「ＡＶ装置」（０２００）は、「入力端子」（０２０１）と、「信号検知部」（０２０２）と、「電源制御部」（０２０３）と、「ＡＶ装置電源部」（０２０４）とを有する。
【００１７】
本発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺機器などから構成されるハードウエアと、それらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより、各部の機能が実現される。（本明細書の全体を通じて同様である。）
【００１８】
「ＡＶ装置」（０２００）は、音声信号を入出力することができる機器であればよい。また、合わせて、映像信号を入出力できるものであってもよい。例えば、ＣＤやＭＤなどを再生するオーディオプレーヤー、液晶テレビやプラズマテレビのようなテレビジョン受像機、パーソナルコンピューター、カーオーディオ装置、カーナビゲーション装置などが挙げられる。これらのＡＶ装置は、音声信号を大音量にて出力することが可能であり、外部オーディオ装置を接続することで、外部オーディオ装置に記録されている多くの音楽を迫力のある音響の環境で視聴することが可能となる。
【００１９】
「入力端子」（０２０１）は、外部オーディオ装置（０２１０）からの信号が入力されるように構成されている。入力端子は、外部オーディオ装置が送信する信号を受信できるものであればよく、外部オーディオ装置との「接続」は、有線であっても無線であってもよい。例えば、ｉ．ＬＩＮＫ（ＡＵＤＩＯ）入力端子、ＲＣＡ同軸デジタル入力端子、角型光デジタル入力端子、ＲＣＡアナログ入力端子、ＡＶ入力端子、Ｓ端子、コンポーネント端子、Ｄ端子、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子、ドルビーデジタルＲＦ入力端子、ＵＳＢ（Ｕｎｉｖｅｒｓａｌ  Ｓｅｒｉａｌ  Ｂｕｓ）端子，ＬＡＮ（Ｌｏｃａｌ  Ａｒｅａ  Ｎｅｔｗｏｒｋ）など種々の入力端子を用いることができる。有線の場合には、入力端子に適したオーディオケーブルや光ケーブルなどを用いる。音声信号とその他のデータ信号の受信とを、別の入力端子によって行ってもよい。この時の外部オーディオ装置側の出力端子は、ヘッドホン出力端子でもライン出力端子でもよい。また、ＵＳＢによる接続でもよい。また、無線の場合には、電波、赤外線、光通信等を用いることができる。
【００２０】
「外部オーディオ装置」（０２１０）とは、ＡＶ装置と信号の送受信をすることができるオーディオ機器をいい、本明細書においては、少なくとも音声信号を出力することができる機器をいう。合わせて映像信号を出力することができる機器であってもよい。例えば、ＣＤやＭＤなどのポータブルオーディオ装置や、メモリカードや不揮発性メモリ、小型ハードディスクなどを内蔵し、音楽等の音声を記録・再生することができるデジタルモバイルオーディオ装置、ＤＶＤ（Ｄｉｇｉｔａｌ  Ｖｅｒｓａｔｉｌｅ  Ｄｉｓｋ）プレーヤーなどが挙げられる。「信号」とは、外部オーディオ装置から出力されるすべての信号をいい、例えば、音声の音の大きさや高低等を定める電圧や周波数等の情報である音声信号、曲名やデータ量などのコンテンツの情報であるコンテンツ信号、電源のＯＮ・ＯＦＦの情報である電源ＯＮ信号や電源ＯＦＦ信号、映像信号、メニュー操作などによる制御信号、音量調整信号など種々の信号が該当する。また、外部オーディオ装置は、外部オーディオ装置内部の制御信号をコピーして、ＡＶ装置に出力するようにしてもよい。さらに、外部オーディオ装置は、ＡＶ装置と接続した場合にＡＶ装置へ出力するためのＡＶ装置用信号を保持していてもよい。
【００２１】
「信号検知部」（０２０２）は、前記入力端子（０２０１）に入力される信号を検知するように構成されている。信号の検知とは、信号の有無の判断をいう。また、信号ありの場合にはさらに信号の種類の識別も行うようにしてもよい。例えば、入力端子に信号が入力された場合に、前述したような音声信号であるのか、電源ＯＮ信号や電源ＯＦＦ信号であるのかなどを判断する。また、信号の消失、すなわち信号無しを検知するようにしてもよい。検知する信号は、アナログ信号であっても、デジタル信号であってもよい。さらに、信号到来時間を測定することのできるタイマーを有し、信号を受信している時間や無信号時間を検知するようにしてもよい。
【００２２】
「電源制御部」（０２０３）は、前記信号検知部（０２０２）での検知結果に応じて電源を制御するように構成されている。電源制御とは、電力供給のＯＮ・ＯＦＦの制御をいう。また、電力供給のＯＮ・ＯＦＦの制御は、ＡＶ装置全体だけでなく、ＡＶ装置の各部への電力供給のＯＮ・ＯＦＦであってもよい。すなわち、電源ＯＦＦ状態には、一部のみへの電力供給を行いながら電源ＯＮ状態への移行の速いスタンバイ状態なども含んでもよい。さらに、電源ＯＮ状態は、ディスプレイや音量の制御するような外部オーディオ装置関連の部分にのみ電力供給を行う外部オーディオ装置モードや、ディスプレイの輝度を落とし消費電力を少なくした省エネモード状態であってもよい。また、電源制御部は、信号検知部での信号の検知結果と電源制御のための電源制御情報を関連付けたテーブルを保持しており、そのテーブルの中から検知結果に応じた電源制御情報を選択し実行してもよい。例えば、外部オーディオ装置からの再生信号の入力を検知した場合に、ＡＶ装置電源をＯＮとすることができる。このとき、ＡＶ装置の全体の電源をＯＮとするだけでなく、前述した省エネモードとすることもできる。
【００２３】
図３は、電源制御部を説明するための図である。ここでは、外部オーディオ装置からコンテンツの再生信号が入力された時に、ＡＶ装置電源をＯＮとする場合を例に挙げて説明する。まず、ＣＰＵ（０３０２）は、ＲＯＭ（０３０５）の所定の記憶領域に格納されている状態監視プログラムを起動しており、そのプログラムに基づく処理各種の処理を実行可能な状態になっているものとする。この場合に、外部オーディオ装置からコンテンツの再生信号がＩ／Ｏ（０３０３）通じてＣＰＵに伝達されると、ＣＰＵはＲＯＭの所定の記憶領域に格納されている電源制御プログラムを起動して、ＨＤＤ（０３０１）から再生信号に対応付けられたＡＶ装置電源ＯＮという電源制御情報をＲＡＭ（０３０４）に読み込む。そして、ＲＡＭに読み込まれた電源制御情報を実行する。すなわち、ＡＶ装置の電源ＯＮとする命令をＡＶ装置電源部に出力する。
【００２４】
「ＡＶ装置電源部」（０２０４）は、ＡＶ装置の電源のＯＮ・ＯＦＦを行う電源回路を有し、前記電源制御部（０２０３）にて制御される。電源とは、前述のとおり、ＡＶ装置全体への電力供給のＯＮ・ＯＦＦ制御だけでなく、ＡＶ装置の各部への電力供給のＯＮ・ＯＦＦ制御も含み、ＡＶ装置電源部はこれらすべての電源を含んでいる。電源は、一箇所に所在するものに限られず、各制御ブロックごとに所在するものであってもよい。この場合には、各電源が、電源制御部によって制御されている。
<実施形態１の処理の流れ>
【００２５】
図４は、実施形態１の処理の流れの一例を示した図である。まず、入力端子に入力される信号を検知する（信号検知ステップ  Ｓ０４０１）。そして、前記信号検知ステップでの検知結果に応じてＡＶ装置の電源を制御する（電源制御ステップ  Ｓ０４０２）。
【００２６】
以上の処理は、計算機に実行させるためのプログラムで実行させることができ、また、このプログラムを計算機によって読み取り可能な記録媒体に記録することができる。（本明細書の全体を通して同様である。）
<実施形態１の効果>
【００２７】
本実施形態のＡＶ装置によれば、入力端子に入力される信号によってＡＶ装置の電源の制御を行うことができる。すなわち、外部オーディオ装置とＡＶ装置を接続して外部オーディオ装置に記憶されているコンテンツを視聴する場合に、機器ごとに電源のＯＮ・ＯＦＦを行わずに済むため、ユーザの利便性を向上させることができる。
≪実施形態２≫
<実施形態２の概要>
【００２８】
図５は本実施形態の概念の一例を示す図である。図５（ａ）においては、外部オーディオ装置（モバイルオーディオ装置、０５０２）をＡＶ装置（テレビジョン受像機、０５０１）に接続しており、外部オーディオ装置及びＡＶ装置の電源はＯＦＦとなっている。従来、ＡＶ装置と外部接続機器とを接続して使用する場合には、ＡＶ装置と外部オーディオ装置の各電源をＯＮとしなければならなかった。しかし、本実施形態のＡＶ装置は、外部オーディオ装置の電源（０５０３）をＯＮとした場合に（図５（ａ）の白矢印）、図５（ａ）から（ｂ）のようにＡＶ装置の電源も連動してＯＮとすることができる。また、外部オーディオ装置の電源をＯＦＦとした場合に（図５（ｂ）の黒矢印）、図５（ｂ）から（ａ）のようにＡＶ装置の電源も連動してＯＦＦとすることができる点を特徴とする。
<実施形態２の構成>
【００２９】
図６に本実施形態での機能ブロックの一例を示した。本実施形態の「ＡＶ装置」（０６００）は、実施形態１を基本とし、「入力端子」（０６０１）と、「信号検知部」（０６０２）と、「電源制御部」（０６０３）と、「ＡＶ装置電源部」（０６０４）とを有し、さらに信号検知部が「外部オーディオ装置電源状態信号検知手段」（０６０５）を、電源制御部が「電源同期手段」（０６０６）を有することを特徴とする。
【００３０】
「外部オーディオ装置電源状態信号検知手段」（０６０５）は、信号検知部（０６０２）が有する手段であり、外部オーディオ装置（０６１０）のＯＮ・ＯＦＦ信号を検知するように構成されている。外部オーディオ装置電源状態とは、外部オーディオ装置の電源がＯＮ状態であるかＯＦＦ状態であるかのどちらかをいう。外部オーディオ装置は、電源がＯＮ状態となった場合には電源ＯＮを示す信号をＡＶ装置に送信し、電源がＯＦＦ状態となった場合には、電源ＯＦＦを示す信号をＡＶ装置に送信する。そして、ＡＶ装置は、入力端子に入力された信号を検知する。なお、外部オーディオ装置の電源がＯＦＦ状態となった場合には、入力端子に入力される外部オーディオ装置電源ＯＮ信号の消失を検知するようにしてもよい。
【００３１】
「電源同期手段」（０６０６）は、電源制御部（０６０３）が有する手段であり、検知結果とＡＶ装置電源部（０６０４）のＯＮ・ＯＦＦ状態とを同期させるように構成されている。検知結果とは、信号検知部（０６０２）での外部オーディオ装置電源状態信号の検知結果をいう。電源同期手段は、外部オーディオ装置電源状態信号検知手段による信号の検知結果と電源制御のための電源制御情報を関連付けたテーブルを保持しており、そのテーブルの中から検知結果に応じた電源制御情報を選択し、実行するようにしてもよい。また、電源のＯＮ・ＯＦＦ制御を行う電源制御回路を組んでもよい。例えば、外部オーディオ装置電源ＯＮ信号の入力を検知した場合に、ＡＶ装置電源をＯＮとすることができる。また、外部オーディオ装置電源ＯＦＦ信号を検知した場合に、ＡＶ装置の電源をＯＦＦとすることができる。このとき、ＡＶ装置がテレビジョン受像機であり、テレビ放送を視聴したい場合には、オーディオ装置からの音声出力電源をＯＦＦとし、テレビ放送の映像出力電源及び音声出力電源をＯＮとしてもよい。なお、ＡＶ装置電源をどのように同期させるかは、あらかじめデフォルトとして設定しておいてもよいし、ユーザが設定できるようにしてもよい。
<実施形態２の処理の流れ>
【００３２】
図７（Ａ）は、実施形態２の処理の流れの一例を示した図である。まず、外部オーディオ装置電源のＯＮ・ＯＦＦ信号を検知する（外部オーディオ装置電源状態信号検知ステップ  Ｓ０７０１）。そして、前記外部オーディオ装置電源状態信号検知ステップでの検知結果とＡＶ装置電源のＯＮ・ＯＦＦ状態とを同期させる（電源同期ステップ  Ｓ０７０２）。
【００３３】
図７（Ｂ）は、外部オーディオ装置電源ＯＮ信号の入力を検知した場合に、ＡＶ装置電源をＯＮとし、外部オーディオ装置電源ＯＦＦ信号を検知した場合に、ＡＶ装置の電源をＯＦＦとするＡＶ装置の具体的な処理の流れの一例を示している。まず外部オーディオ装置から入力端子に到来した信号の種別を判断する（Ｓ０７０３）。到来した信号が電源ＯＮ信号である場合には、ステップＳ０７０４に進み、ＡＶ装置の電源状態がＯＮ状態であるか、ＯＦＦ状態であるかを判断する。電源ＯＦＦ状態である場合には（Ｓ０７０４ＮＯ）、ＡＶ装置の電源をＯＮとする（Ｓ０７０５）。一方、ステップＳ０７０３にて到来した信号が電源ＯＦＦ信号である場合には、ステップＳ０７０４に進み、ＡＶ装置の電源状態がＯＮ状態であるか、ＯＦＦ状態であるかを判断する。電源ＯＮ状態である場合には（Ｓ０７０６ＹＥＳ）、ＡＶ装置の電源をＯＦＦとする（Ｓ０７０７）。
<実施形態２の効果>
【００３４】
本実施形態のＡＶ装置によれば、外部オーディオ装置の電源とＡＶ装置の電源を同期させることができる。すなわち、ＡＶ装置の電源をＯＮ・ＯＦＦする手間を省くことができ、ＡＶ装置により外部オーディオ装置に記憶されているコンテンツの視聴を行う場合のユーザの利便性を向上させることができる。
≪実施形態３≫
<実施形態３の概要>
【００３５】
図８は本実施形態の概念の一例を示す図である。図８においては、外部オーディオ装置（モバイルオーディオ装置、０８０２）をＡＶ装置（テレビジョン受像機、０８０１）に接続している。ただし、実施形態１とは異なり外部オーディオ装置の電源（０８０３）はＯＮ、ＡＶ装置の電源はＯＦＦとなっている。従来はこの状態から接続されている外部オーディオ装置をＡＶ装置によって使用する場合には、さらにＡＶ装置の電源をＯＮとしなければならなかった。しかし、本実施形態のＡＶ装置は、外部オーディオ装置を再生した場合に、外部オーディオ装置からのコンテンツ信号の入力を検知し、ＡＶ装置の電源をＯＮとすることを特徴とする。
<実施形態３の構成>
【００３６】
図９に本実施形態での機能ブロックの一例を示した。本実施形態の「ＡＶ装置」（０９００）は、実施形態１を基本とし、「入力端子」（０９０１）と、「信号検知部」（０９０２）と、「電源制御部」（０９０３）と、「ＡＶ装置電源部」（０９０４）とを有し、さらに信号検知部が「コンテンツ信号有無検知手段」（０９０５）を、電源制御部が「コンテンツ信号同期手段」（０９０６）を有することを特徴とする。図９は実施形態１を基本とした構成となっているが、実施形態２を基本とするものであってもよい。
【００３７】
「コンテンツ信号有無検知手段」（０９０５）は、信号検知部（０９０２）が有する手段であり、外部オーディオ装置（０９１０）から到来するコンテンツ信号の有無を検知するように構成されている。コンテンツ信号とは、コンテンツを構成する音声、映像、テキスト情報などのデータ信号をいう。例えば、外部オーディオ装置により音楽コンテンツを再生した場合には、コンテンツ信号有無検知手段により音楽の音声信号を検知する。音声信号と合わせて、歌詞や曲名等のテキスト情報が入力された場合には、それらのデータ信号もそれぞれ検知する。また、外部オーディオ装置によりＤＶＤ等の映像コンテンツを再生した場合には、音声信号及び映像信号を検知する。
【００３８】
「コンテンツ信号同期手段」（０９０６）は、電源制御部（０９０３）が有する手段であり、検知されたコンテンツ信号の有無に応じてＡＶ装置電源部（０９０４）のＯＮ・ＯＦＦを制御すように構成されている。コンテンツ信号同期手段は、コンテンツ信号有無検知手段による信号の検知結果と電源制御のための電源制御情報を関連付けたテーブルを保持しており、そのテーブルの中から検知結果に応じた電源制御情報を選択し、実行するようにしてもよい。また、電源のＯＮ・ＯＦＦ制御を行う電源制御回路を組んでもよい。例えば、音声信号の入力を検知した場合に、ＡＶ装置の電源をＯＮとすることができる。ＡＶ装置の電源は、ＡＶ装置全体の電源であっても、一部の機能のための電源であってもよい。例えば、検知したコンテンツ信号が音声信号のみである場合には、音声出力電源のみをＯＮとし、ディスプレイへの映像出力に関する機能の電源はＯＦＦのままとすることもできる。このようにすることによって、無駄な電力の消費を防ぐことが可能となる。また、音声信号の入力が所定の時間検出されないような場合には、ＡＶ装置の電源をＯＦＦとすることも可能である。この場合には、ＡＶ装置が、無信号である時間を測定することのできるタイマーを備えている必要がある。
<実施形態３の処理の流れ>
【００３９】
図１０（Ａ）は、実施形態３の処理の流れの一例を示した図である。まず、外部オーディオ装置から到来するコンテンツ信号の有無を検知する（コンテンツ信号有無検知ステップ  Ｓ１００１）。そして、前記コンテンツ信号有無検知ステップにて検知されたコンテンツ信号の有無に応じてＡＶ装置電源のＯＮ・ＯＦＦを制御する（コンテンツ信号同期ステップ  Ｓ１００２）。
【００４０】
図１０（Ｂ）は、外部オーディオ装置からのコンテンツ信号の入力を検知した場合に、ＡＶ装置電源をＯＮとするＡＶ装置の具体的な処理の流れの一例を示している。まず外部オーディオ装置から入力端子に入力されるコンテンツ信号を検知する（Ｓ１００３）。コンテンツ信号を検知した場合には、ステップＳ１００４に進み、ＡＶ装置の電源状態がＯＮ状態であるか、ＯＦＦ状態であるかを判断する。そして、電源ＯＦＦ状態である場合には（Ｓ１００４ＮＯ）、ＡＶ装置の電源をＯＮとする（Ｓ１００５）。
<実施形態３の効果>
【００４１】
本実施形態のＡＶ装置によれば、外部オーディオ装置からのコンテンツ信号を検知することによって、ＡＶ装置の電源を制御することができる。すなわち、ＡＶ装置の電源をＯＮ・ＯＦＦする手間を省くことができ、ユーザの利便性を向上することができる。
≪実施形態４≫
<実施形態４の概要>
【００４２】
図１１は本実施形態の概念の一例を示す図である。図１１（ａ）においては、外部オーディオ装置（モバイルオーディオ装置、１１０２）とＡＶ装置（テレビジョン受像機、１１０１）はまだ接続されていない状態である。そして、ＡＶ装置の入力端子（１１０４）に外部オーディオ装置と接続を行うプラグ（１１０３）が挿入された場合に（図１１（ａ）の白矢印）、本実施形態のＡＶ装置は、プラグの挿入を検知し、図１１（ａ）から（ｂ）のようにＡＶ装置の電源をＯＮとすることを特徴とする。またＡＶ装置の入力端子からプラグを抜いた場合に（図１１（ｂ）の黒矢印）、プラグの抜出を検知し、図１１（ｂ）から（ａ）のようにＡＶ装置の電源をＯＦＦとすることを特徴とする。
<実施形態４の構成>
【００４３】
図１２に本実施形態での機能ブロックの一例を示した。本実施形態の「ＡＶ装置」（１２００）は、実施形態１を基本とし、「入力端子」（１２０１）と、「信号検知部」（１２０２）と、「電源制御部」（１２０３）と、「ＡＶ装置電源部」（１２０４）とを有し、さらに「プラグ有無検知部」（１２０５）と、電源制御部が「プラグ有無同期手段」（１２０６）を有することを特徴とする。図１２は実施形態１を基本としているが、実施形態２又は３を基本とするものであってもよい。
【００４４】
「プラグ有無検知部」（１２０５）は、入力端子（１２０１）へのプラグの挿入有無を検知するように構成されている。入力端子に対するプラグの挿入の有無を検知して外部オーディオ装置（１２１０）の接続があるか否かを判断する。例えば、プラグの挿入により物理的にスイッチが入り、通電するようにし、その電流を検知するようにできる。プラグ有無検知部は、プラグが挿入された場合にはプラグ有りと検知し、プラグが抜出された場合にはプラグ無しと検知する。
【００４５】
「プラグ有無同期手段」（１２０６）は、電源制御部（１２０３）が有する手段であり、前記プラグ有無検知部（１２０５）にて検知されたプラグの挿入有無に応じてＡＶ装置電源部（１２０４）のＯＮ・ＯＦＦを制御するように構成されている。プラグ有無同期手段は、プラグ有無検知部の検知結果と電源制御のための電源制御情報を関連付けたテーブルを保持しており、そのテーブルの中から検知結果に応じた電源制御情報を選択し、実行するようにしてもよい。また、電源制御回路を組んでもよい。例えば、プラグ有りとの検知結果であった場合には、ＡＶ装置電源をＯＮとすることができる。また、プラグ無しとの検知結果であった場合には、ＡＶ装置電源をＯＦＦとすることができる。
<実施形態４の処理の流れ>
【００４６】
図１３（Ａ）は、実施形態４の処理の流れの一例を示した図である。まず、入力端子へのプラグの挿入有無を検知する（プラグ有無検知ステップ  Ｓ１３０１）。そして、前記プラグ有無検知ステップにて検知されたプラグの挿入有無に応じてＡＶ装置電源のＯＮ・ＯＦＦを制御する（プラグ有無同期ステップ  Ｓ１３０２）。
【００４７】
図１３（Ｂ）は、入力端子へのプラグの挿入を検知した場合に、ＡＶ装置電源をＯＮとし、入力端子からのプラグの抜出を検知した場合に、ＡＶ装置の電源をＯＦＦとするＡＶ装置の具体的な処理の流れの一例を示している。まず外部オーディオ装置から入力端子にプラグの挿入の有無を検知する（Ｓ１３０３）。プラグの挿入を検知した場合には、ステップＳ１３０４に進み、ＡＶ装置の電源状態がＯＮ状態であるか、ＯＦＦ状態であるかを判断する。電源ＯＦＦ状態である場合には（Ｓ１３０４ＮＯ）、ＡＶ装置の電源をＯＮとする（Ｓ１３０５）。一方、ステップＳ１３０３にてプラグの挿入がないと判断した場合には、ステップＳ１３０６に進み、プラグの抜出があるかを判断する。プラグの抜出を検知した場合には（Ｓ１３０６ＹＥＳ）、次にＡＶ装置の電源状態がＯＮ状態であるか、ＯＦＦ状態であるかを判断する。電源ＯＮ状態である場合には（Ｓ１３０７ＹＥＳ）、ＡＶ装置の電源をＯＦＦとする（Ｓ１３０８）。
<実施形態４の効果>
【００４８】
本実施形態のＡＶ装置によれば、入力端子へのプラグの挿入の有無とＡＶ装置の電源を同期させることができる。すなわち、ＡＶ装置に外部オーディオ装置を接続しコンテンツを視聴する場合に、ＡＶ装置の電源をＯＮ・ＯＦＦを行う必要がなく、ユーザの利便性を向上させることができる。
≪実施形態５≫
<実施形態５の概要>
【００４９】
図１４は本実施形態の概念の一例を示す図である。図５で述べた実施形態２のＡＶ装置と同様に、外部オーディオ装置（モバイルオーディオ装置、１４０２）をＡＶ装置（テレビジョン受像機、１４０１）に接続しており、外部オーディオ装置及びＡＶ装置の電源はＯＦＦとなっている。そして、外部オーディオ装置の電源（１４０３）をＯＮとした場合に、ＡＶ装置の電源をＯＮとする。本実施形態のＡＶ装置はさらに、ＡＶ装置の電源ＯＮと同時に、コンテンツ（音楽）の再生（１４０４）を行うことができる。すなわち、本実施形態のＡＶ装置は、ＡＶ装置の電源の制御を行うとともに、外部オーディオ装置に制御信号を送ることを特徴とする。
<実施形態５の構成>
【００５０】
図１５に本実施形態での機能ブロックの一例を示した。本実施形態の「ＡＶ装置」（１５００）は、実施形態１を基本とし、「入力端子」（１５０１）と、「信号検知部」（１５０２）と、「電源制御部」（１５０３）と、「ＡＶ装置電源部」（１５０４）とを有し、さらに「外部オーディオ装置制御命令保持部」（１５０５）と、「外部オーディオ装置制御命令出力部」（１５０６）を有することを特徴とする。図１５は実施形態１を基本とした構成となっているが、実施形態２から４を基本とするものであってもよい。
【００５１】
実施形態５−１では検知部での検知結果に応じて外部オーディオ装置制御命令を選択して出力するＡＶ装置について、実施形態５−２ではＡＶ装置電源部の状態に応じて外部オーディオ装置制御命令を選択して出力するＡＶ装置について説明する。
<実施形態５−１の構成>
【００５２】
本実施形態５−１の「ＡＶ装置」（１５００）は、実施形態５を基本とし、さらに外部オーディオ装置制御命令出力部が「検知結果依存選択出力手段」（１５０７）を有することを特徴とする。
【００５３】
「外部オーディオ装置制御命令保持部」（１５０５）は、外部オーディオ装置（１５１０）を制御するための外部オーディオ装置制御命令を保持するように構成されている。外部オーディオ装置制御命令とは、外部オーディオ装置（１５１０）を制御するための信号であり、例えば、外部オーディオ装置の電源ＯＮ命令や電源ＯＦＦ命令、コンテンツの再生命令や停止命令などが挙げられる。外部オーディオ装置制御命令保持部では、検知結果やＡＶ装置の電源状態と外部オーディオ装置制御命令を関連付けたテーブルを保持している。
【００５４】
「外部オーディオ装置制御命令出力部」（１５０６）は、前記外部オーディオ装置制御命令保持部（１５０５）に保持されている外部オーディオ装置制御命令を出力するように構成されている。外部オーディオ装置制御命令出力部は、外部オーディオ装置制御命令出力部に入力される各種信号によって、外部オーディオ装置命令保持部に保持されている外部オーディオ装置制御命令を選択し、出力する。各種信号とは、ＡＶ装置全体の制御信号であってもよいし、ＡＶ装置に外部から入力される信号であってもよい。例えば、ＡＶ装置の音量調整の信号や、音声ミュートの信号などが挙げられる。外部オーディオ装置制御命令は、外部オーディオ装置からの信号の入力を行っている入力端子を介して出力してもよいし、別の出力端子を介して出力してもよい。入力端子と同じ端子を用いる場合には、信号の送受信を行うことのできるＵＳＢなどの端子、ケーブルを用いる。なお、出力方法は、有線であっても無線であってもよい。
【００５５】
外部オーディオ装置制御命令を受けた外部オーディオ装置は、外部オーディオ装置制御命令を実行するための処理を行う。図１６に、外部オーディオ装置制御命令を受信したハードディスク（ＨＤＤ）を内蔵した外部オーディオ装置の一例を示す。外部オーディオ装置（１６００）は、電源（１６０４）、インターフェイス（１６０１）、ＨＤＤ（１６０２）、制御コントローラ（１６０３）、デコーダ（１６０５）、Ｄ／Ａ変換器（１６０６）、ライン出力端子（１６０７）、アンプ（１６０８）、ヘッドホン出力端子（１６０９）などを有している。インターフェイス（１６０１）にＡＶ装置（１６１０）からの電源ＯＮ命令が入力されると、制御コントローラ（１６０３）に伝達され、制御コントローラは電源（１６０４）をＯＮにする。また、ＡＶ装置からコンテンツ再生命令がインターフェイスに入力されると、制御コントローラが信号を検知する。そして、電源をＯＮとするとともに、ＨＤＤ（１６０２）に記憶されている音声ファイルを制御コントローラ（１６０３）がデコーダ（１６０５）に送る。そして、デコーダにて復号化された音声データはＤ／Ａ変換器（１６０６）にてアナログ信号に変換され、ライン出力端子（１６０７）から出力される。この処理の流れは一例であり、音声データをＤ／Ａ変換器を通さずデジタル信号のまま出力してもよいし、音声信号をアンプ（１６０８）にて増幅しヘッドホン出力端子（１６０９）から出力するようにしてもよい。
【００５６】
「検知結果依存選択出力手段」（１５０７）は、外部オーディオ装置制御命令出力部（１５０６）が有する手段であり、検知部での検知結果に応じて外部オーディオ装置制御命令を選択して出力するように構成されている。検知部とは、信号検知部（１５０２）及びプラグ有無検知部（図示せず）をいい、検知結果には、信号検知部の外部オーディオ装置電源状態信号検知結果とコンテンツ信号検知結果、及びプラグ有無検知部の検知結果が含まれる。具体例としては、信号検知部にて外部オーディオ装置の電源ＯＮ信号を検知した場合、あるいはプラグ有無検知部にてプラグの挿入を検知した場合に、コンテンツの再生命令を出力することができる。再生命令によるコンテンツの再生は、コンテンツの最初からとしても、前回停止した場所からの再生としてもよい。また、ユーザが自身で設定することができるようにしてもよい。
<実施形態５−１の処理の流れ>
【００５７】
図１７は、実施形態５−１の処理の流れの一例を示した図である。まず、入力端子へのプラグの挿入有無又は入力端子に入力される信号を検知する（検知ステップ  Ｓ１７０１）。そして、前記検知ステップでの検知結果に応じて外部オーディオ装置を制御するための外部オーディオ装置制御命令を選択して出力する（検知結果依存選択出力ステップ  Ｓ１７０２）。なお、その他実施形態１から４において説明した処理を行うことも可能である。
<実施形態５−１の効果>
【００５８】
本実施形態のＡＶ装置によれば、検知部での検知結果に応じて外部オーディオ装置制御命令を出力することができる。すなわち、ＡＶ装置に外部オーディオ装置を接続しコンテンツを視聴する場合の操作回数を減らすことができ、ユーザの利便性を向上させることができる。
<実施形態５−２の構成>
【００５９】
図１８に実施形態５−２の機能ブロックの一例を示した。本実施形態の「ＡＶ装置」（１８００）は、実施形態５を基本とし、さらに外部オーディオ装置制御命令出力部が「電源依存選択出力手段」（１８０７）を有することを特徴とする。
【００６０】
「電源依存選択出力手段」（１８０７）は、外部オーディオ装置制御命令出力部（１８０６）が有する手段であり、ＡＶ装置電源部（１８０４）のＯＮ・ＯＦＦ状態に応じて外部オーディオ装置制御命令を選択して出力するように構成されている。具体的には、ＡＶ装置電源がＯＮ状態となった場合に、外部オーディオ装置の電源ＯＮ命令を出力することができる。合わせて、コンテンツの再生命令を出力するようにしてもよい。またＡＶ装置電源がＯＦＦ状態となった場合に、外部オーディオ装置の再生停止命令を出力したり、外部オーディオ装置の電源ＯＦＦ命令を出力することができる。また、再生停止命令とともに再生停止時のコンテンツを記憶するような命令を出力してもよい。そして、再度ＡＶ装置の電源がＯＮとなった場合には、記憶されているコンテンツから再生するような命令を出力することによって、ユーザの利便性を向上させることができる。
<実施形態５−２の処理の流れ>
【００６１】
図１９は、実施形態５−２の処理の流れの一例を示した図である。まず、入力端子へのプラグの挿入有無又は入力端子に入力される信号を検知する（検知ステップ  Ｓ１９０１）。次に、前記検知ステップでの検知結果に応じてＡＶ装置の電源を制御する（電源制御ステップ  Ｓ１９０２）。最後に、ＡＶ装置電源のＯＮ・ＯＦＦ状態に応じて外部オーディオ装置を制御するための外部オーディオ装置制御命令を選択して出力する（電源依存選択出力ステップ  Ｓ１９０３）。なお、その他実施形態１から４において説明した処理を行うことも可能である。
<実施形態５−２の効果>
【００６２】
本実施形態のＡＶ装置によれば、ＡＶ装置電源部のＯＮ・ＯＦＦ状態に応じて外部オーディオ装置制御命令を出力することができる。すなわち、ＡＶ装置に外部オーディオ装置を接続しコンテンツを視聴する場合の操作回数を減らすことができ、ユーザの利便性を向上させることができる。
≪実施形態６≫
<実施形態６の概要>
【００６３】
図２０は本実施形態の概念の一例を示す図である。図２０においては、外部オーディオ装置（モバイルオーディオ装置、２００２）をＡＶ装置（テレビジョン受像機、２００１）に接続し、コンテンツの再生を行っている。本実施形態のＡＶ装置は、コンテンツの再生（２００３）と同時に、外部オーディオ装置に電源供給を行うことを特徴とする。
<実施形態６の構成>
【００６４】
図２１に本実施形態での機能ブロックの一例を示した。本実施形態の「ＡＶ装置」（２１００）は、実施形態１を基本とし、「入力端子」（２１０１）と、「信号検知部」（２１０２）と、「電源制御部」（２１０３）と、「ＡＶ装置電源部」（２１０４）とを有し、さらに「電源供給部」（２１０５）を有することを特徴とする。図２１は、実施形態１を基本としているが、実施形態２から５を基本とするものであってもよい。
【００６５】
「電源供給部」（２１０５）は、外部オーディオ装置（２１１０）に電源を供給するように構成されている。ＡＶ装置の電源から一定の電力を外部オーディオ装置に供給する。外部オーディオ装置に供給される電源によって、ＡＶ装置と接続して使用している場合のコンテンツの再生等と、外部オーディオ装置単独で使用する場合に用いる充電がされる。充電が完了している場合には、コンテンツの再生等のための電源供給のみを行う。この電源供給は、入力端子（２１０１）を介して行ってもよいし、別に出力端子を設けて行うようにしてもよい。出力端子を設けた場合には、外部オーディオ装置側には電源供給のための入力端子が必要となる。電源供給部は、検知部の検知結果に応じて電源供給を行うことができる。検知部とは、実施形態５と同様に信号検知部（２１０２）及びプラグ有無検知部（図示せず）をいい、検知結果には、信号検知部の外部オーディオ装置電源状態信号検知結果とコンテンツ信号検知結果、及びプラグ有無検知部の検知結果が含まれる。例えば、外部オーディオ装置への電源供給は、プラグの挿入有との検知結果である場合、すなわちＡＶ装置との接続中は常時行うようにしてもよいし、外部オーディオ装置からの信号を検知している間のみとしてもよい。また、電源供給部は、ＡＶ装置電源部のＯＮ・ＯＦＦ状態に応じて電源供給を行うことができる。例えば、ＡＶ装置電源がＯＮ時、あるいはＡＶ装置電源がＯＦＦ時のみ電源供給を行うようにしてもよい。このようにいつ外部オーディオ装置への電源供給を行うかは、あらかじめデフォルトとして設定しておいてもよいし、ユーザが設定できるようにしてもよい。
<実施形態６の処理の流れ>
【００６６】
図２２は、実施形態６の処理の流れの一例を示した図である。図２２（Ａ）のように、まず入力端子へのプラグの挿入有無又は入力端子に入力される信号を検知する（検知ステップ  Ｓ２２０１）。そして、前記検知ステップでの検知結果に応じて外部オーディオ装置に電源を供給する（電源供給ステップ  Ｓ２２０２）。
【００６７】
あるいは図２２（Ｂ）のように、まず、入力端子へのプラグの挿入有無又は入力端子に入力される信号を検知する（検知ステップ  Ｓ２２０３）。次に、前記検知ステップでの検知結果に応じてＡＶ装置の供給を制御する（電源制御ステップ  Ｓ２２０４）。最後に、ＡＶ装置電源のＯＮ・ＯＦＦ状態に応じて外部オーディオ装置に電源を制御する（電源供給ステップ  Ｓ２２０５）。なお、その他実施形態１から５において説明した処理を行うことも可能である。
<実施形態６の効果>
【００６８】
本実施形態のＡＶ装置によれば、外部オーディオ装置からの信号の検知結果又はプラグ挿入有無の検知結果に応じてＡＶ装置の電源を制御するとともに、外部オーディオ装置に電源を供給することができる。すなわち、外部オーディオ装置の蓄電力を消費することなくコンテンツの再生を行うことができる。さらに、本実施形態のＡＶ装置によれば、別途外部オーディオ装置の充電を行う必要がなくなる。
【図面の簡単な説明】
【００６９】
【図１】実施形態１の概念を説明する図
【図２】実施形態１を説明する機能ブロック図
【図３】電源制御部を説明するための図
【図４】実施形態１の処理の流れを説明する図
【図５】実施形態２の概念を説明する図
【図６】実施形態２を説明する機能ブロック図
【図７】実施形態２の処理の流れを説明する図
【図８】実施形態３の概念を説明する図
【図９】実施形態３を説明する機能ブロック図
【図１０】実施形態３の処理の流れを説明する図
【図１１】実施形態４の概念を説明する図
【図１２】実施形態４を説明する機能ブロック図
【図１３】実施形態４の処理の流れを説明する図
【図１４】実施形態５の概念を説明する図
【図１５】実施形態５−１を説明する機能ブロック図
【図１６】外部オーディオ装置のハードウエア構成を示す図
【図１７】実施形態５−１の処理の流れを説明する図
【図１８】実施形態５−２を説明する機能ブロック図
【図１９】実施形態５−２の処理の流れを説明する図
【図２０】実施形態６の概念を説明する図
【図２１】実施形態６を説明する機能ブロック図
【図２２】実施形態６の処理の流れを説明する図
【符号の説明】
【００７０】
０２００    ＡＶ装置
０２０１    入力端子
０２０２    信号検知部
０２０３    電源制御部
０２０４    ＡＶ装置電源部
０２１０    外部オーディオ装置
【図１】
2007110430.tif 000003
【図２】
2007110430.tif 000004
【図３】
2007110430.tif 000005
【図４】
2007110430.tif 000006
【図５】
2007110430.tif 000007
【図６】
2007110430.tif 000008
【図７】
2007110430.tif 000009
【図８】
2007110430.tif 000010
【図９】
2007110430.tif 000011
【図１０】
2007110430.tif 000012
【図１１】
2007110430.tif 000013
【図１２】
2007110430.tif 000014
【図１３】
2007110430.tif 000015
【図１４】
2007110430.tif 000016
【図１５】
2007110430.tif 000017
【図１６】
2007110430.tif 000018
【図１７】
2007110430.tif 000019
【図１８】
2007110430.tif 000020
【図１９】
2007110430.tif 000021
【図２０】
2007110430.tif 000022
【図２１】
2007110430.tif 000023
【図２２】
2007110430.tif 000024